(57)【要約】【課題】排出された体液と着用者の肌との接触を効果的に回避することができる吸収体物品の提供。【解決手段】シート状の防漏体と、シート状の吸収体とを有する吸収体物品本体と、吸収体物品本体と前端部及び後端部において結合する、左右一対の頭部伸縮体と、左右縁部が頭部伸縮体と結合するキャナルシートとを有し、キャナルシートが頭部伸縮体の下側に、凸型に垂下するように構成され、谷形の立体形状の体液受容キャナルを形成する吸収体物品であって、股下部において、吸収体が下側に凸型の形状を呈し、股下部において、吸収体物品本体の表面と体液受容キャナルの底面の下面に相当するキャナルシートの部分とが結合した底面結合部を有し、かつ、股下部において、吸収体物品本体の表面と体液受容キャナルの左右側面の外側に相当するキャナルシートの部分とが結合した側面結合部を有する、体液受容キャナルの谷形の立体形状が安定的に保持される、吸収体物品。【選択図】図１
2015142673.tif 000002
【特許請求の範囲】
【請求項１】
シート状の防漏体と、前記防漏体の上部に少なくとも１層配置された体液を吸収しうるシート状の吸収体とを有する吸収体物品本体と、
前記吸収体物品本体の前端部から前身頃、股下部及び後身頃を経て後端部にわたって配置され、前記吸収体物品本体と前記前端部及び前記後端部において結合する、左右一対の頭部伸縮体と、
左右縁部がそれぞれ前記左右一対の頭部伸縮体と結合するキャナルシートとを有し、
前記キャナルシートが前身頃、股下部及び後身頃において、前記頭部伸縮体の下側に、凸型に垂下するように構成され、前記左右一対の頭部伸縮体の間隙が上部開口となり、前記キャナルシートの左右縁部付近が側面、前記キャナルシートの左右方向の中央付近が底面となる、谷形の立体形状の体液受容キャナルを形成する吸収体物品であって、
少なくとも股下部において、前記吸収体が下側に凸型の形状を呈し、
少なくとも股下部において、前記吸収体物品本体の表面と前記体液受容キャナルの底面の下面に相当する前記キャナルシートの部分とが結合した底面結合部を有し、かつ、少なくとも股下部において、前記吸収体物品本体の表面と前記体液受容キャナルの左右側面の外側に相当する前記キャナルシートの部分とが結合した側面結合部を有する、前記体液受容キャナルの谷形の立体形状が安定的に保持される、吸収体物品。
【請求項２】
前記吸収体物品本体が、左右方向の中央部付近において折れ曲がりやすくなっている、請求項１に記載の吸収体物品。
【請求項３】
前記吸収体の左右方向の中央部付近の厚さがその両側の部分の厚さより薄くなっていることにより、前記吸収体物品本体が、左右方向の中央部付近において折れ曲がりやすくなっている、請求項１に記載の吸収体物品。
【請求項４】
前記吸収体物品本体の左右方向の中央部付近において、前記吸収体が存在しないことにより、前記吸収体物品本体が、左右方向の中央部付近において折れ曲がりやすくなっている、請求項１に記載の吸収体物品。
【請求項５】
前記吸収体が、前記吸収体物品本体の前端部から前身頃、股下部及び後身頃を経て後端部にわたって配置される全体吸収体と、前記全体吸収体の上側に、股下部を含む領域のみに配置されるシート状の部分吸収体とから構成され、
前記部分吸収体が、左右方向の少なくとも１箇所において折れ曲がりやすくなっている、請求項１に記載の吸収体物品。
【請求項６】
前記吸収体が、股下部において、左右縁部から中央に向かう切り込みを有し、左右縁部から中央に向かって折れ曲がる部分を有する、請求項１〜５のいずれかに記載の吸収体物品。
【請求項７】
前記底面結合部と前記側面結合部とが、連続的に形成されている、請求項１〜６のいずれかに記載の吸収体物品。
【請求項８】
前記底面結合部及び前記側面結合部が、いずれも股下部を含む領域で前後方向に延在している、請求項１〜７のいずれかに記載の吸収体物品。
【請求項９】
着用時に、前記防漏体が、少なくとも股下部において、下側に凸型の形状となる、請求項１〜８のいずれかに記載の吸収体物品。
【請求項１０】
前記吸収体が、高吸水性樹脂の含有量が７０質量％以上のシート状吸収体により構成されている、請求項１〜９のいずれかに記載の吸収体物品。
【請求項１１】
前記全体吸収体が、パルプと高吸水性樹脂との混合物からなり、かつ、前記部分吸収体が、高吸水性樹脂の含有量が７０質量％以上のシート状吸収体により構成されている、請求項５に記載の吸収体物品。
【発明の詳細な説明】
【技術分野】
【０００１】
本発明は、吸収体物品に関する。
【背景技術】
【０００２】
吸収体物品は、おむつ（子供用及び大人用おむつ）、生理用ナプキン、失禁対策商品、トレーニングパンツ等の着用者から排出された体液を、高吸収性樹脂（以下「ＳＡＰ」ともいう。）やフラッフ状にした木材パルプ等を用いた吸収体により、吸収し、処理する物品である。
従来の吸収体物品においては、体液は、着用者の排出器から直接に吸収体の表面に排出され、吸収体の表面における拡散と吸収体の表面から内部への移行とにより、吸収体に吸収され、処理される。
したがって、吸収体物品からその外部への体液のリーク（漏れ）を防ぐためには、吸収体物品と着用者の身体との間に間隙が生じないように、吸収体の表面と着用者の肌、特に、排出器とを密着させることが必要であった。
【０００３】
しかしながら、このような状態で吸収体物品を使用すると、体液の排出後には、着用者の肌が体液で濡れている吸収体の表面に密着した状態となる。着用者の肌が体液に接触している状態が長時間続くと、着用者にとって不快であるだけでなく、皮膚を膨化させ、細菌増殖の原因となり、かぶれや炎症を引き起こす事態を招くことにもなるという問題点があった。
【０００４】
本発明者は、このような従来の吸収体物品の問題点を解決するための新しい提案として、吸収体、特に、着用者の排泄器に相当する位置であるクロッチ部（股下部）に体液を直接に移行させないように、吸収体の前後に体液の移動、分配を可能にするユニットを吸収体の表面と着用者の肌との間に新たに導入することにより、排出された体液と着用者の肌との接触を効果的に回避する手法を提案した。
特許文献１においては、前記ユニットは、フローティングレッグギャザーとして提案されている。特許文献２においては、前記ユニットは、体液の移動通路として提案されている。特許文献３においては、前記ユニットは、体液受容キャナルとして提案されている。これらの提案に係るユニットは、いずれも、左右一対の頭部と左右一対の頭部に結合されて、垂下する垂下部とを持ち、左右一対の頭部のみが着用者の肌に接触する点で共通するものである。
【先行技術文献】
【特許文献】
【０００５】
【特許文献１】特許第５０８６４９２号公報
【特許文献２】特許第５２３６１２１号公報
【特許文献３】特許第５２３６１２２号公報
【発明の概要】
【発明が解決しようとする課題】
【０００６】
本発明者は、特許文献１〜３に記載された、各種のユニットを有する吸収体物品の研究を進めたところ、特許文献３における体液受容キャナルにおいて、排出された体液と着用者の肌との接触をより効果的に回避することができる余地があるのではないかと考えた。
【課題を解決するための手段】
【０００７】
本発明者は、谷形の立体形状の体液受容キャナルを形成する吸収体物品において、少なくとも股下部で、吸収体が下側に凸型の形状を呈するようにし、また、少なくとも股下部で、吸収体の表面と体液受容キャナルの底面の下面に相当するキャナルシートの部分とが結合した底面結合部を設け、かつ、少なくとも股下部で、吸収体の表面と体液受容キャナルの左右側面の外側に相当するキャナルシートの部分とが結合した側面結合部を設けることにより、体液受容キャナルの谷形の立体形状を安定的に保持することができることを見出し、本発明を完成させた。
【０００８】
すなわち、本発明は、以下の（１）〜（１１）を提供する。
（１）シート状の防漏体と、前記防漏体の上部に少なくとも１層配置された体液を吸収しうるシート状の吸収体とを有する吸収体物品本体と、
前記吸収体物品本体の前端部から前身頃、股下部及び後身頃を経て後端部にわたって配置され、前記吸収体物品本体と前記前端部及び前記後端部において結合する、左右一対の頭部伸縮体と、
左右縁部がそれぞれ前記左右一対の頭部伸縮体と結合するキャナルシートとを有し、
前記キャナルシートが前身頃、股下部及び後身頃において、前記頭部伸縮体の下側に、凸型に垂下するように構成され、前記左右一対の頭部伸縮体の間隙が上部開口となり、前記キャナルシートの左右縁部付近が側面、前記キャナルシートの左右方向の中央付近が底面となる、谷形の立体形状の体液受容キャナルを形成する吸収体物品であって、
少なくとも股下部において、前記吸収体が下側に凸型の形状を呈し、
少なくとも股下部において、前記吸収体物品本体の表面と前記体液受容キャナルの底面の下面に相当する前記キャナルシートの部分とが結合した底面結合部を有し、かつ、少なくとも股下部において、前記吸収体物品本体の表面と前記体液受容キャナルの左右側面の外側に相当する前記キャナルシートの部分とが結合した側面結合部を有する、前記体液受容キャナルの谷形の立体形状が安定的に保持される、吸収体物品。
（２）前記吸収体物品本体が、左右方向の中央部付近において折れ曲がりやすくなっている、上記（１）に記載の吸収体物品。
（３）前記吸収体の左右方向の中央部付近の厚さがその両側の部分の厚さより薄くなっていることにより、前記吸収体物品本体が、左右方向の中央部付近において折れ曲がりやすくなっている、上記（１）に記載の吸収体物品。
（４）前記吸収体物品本体の左右方向の中央部付近において、前記吸収体が存在しないことにより、前記吸収体物品本体が、左右方向の中央部付近において折れ曲がりやすくなっている、上記（１）に記載の吸収体物品。
（５）前記吸収体が、前記吸収体物品本体の前端部から前身頃、股下部及び後身頃を経て後端部にわたって配置される全体吸収体と、前記全体吸収体の上側に、股下部を含む領域のみに配置されるシート状の部分吸収体とから構成され、
前記部分吸収体が、左右方向の少なくとも１箇所において折れ曲がりやすくなっている、上記（１）に記載の吸収体物品。
（６）前記吸収体が、股下部において、左右縁部から中央に向かう切り込みを有し、左右縁部から中央に向かって折れ曲がる部分を有する、上記（１）〜（５）のいずれかに記載の吸収体物品。
（７）前記底面結合部と前記側面結合部とが、連続的に形成されている、上記（１）〜（６）のいずれかに記載の吸収体物品。
（８）前記底面結合部及び前記側面結合部が、いずれも股下部を含む領域で前後方向に延在している、上記（１）〜（７）のいずれかに記載の吸収体物品。
（９）着用時に、前記防漏体が、少なくとも股下部において、下側に凸型の形状となる、上記（１）〜（８）のいずれかに記載の吸収体物品。
（１０）前記吸収体が、高吸水性樹脂の含有量が７０質量％以上のシート状吸収体により構成されている、上記（１）〜（９）のいずれかに記載の吸収体物品。
（１１）前記全体吸収体が、パルプと高吸水性樹脂との混合物からなり、かつ、前記部分吸収体が、高吸水性樹脂の含有量が７０質量％以上のシート状吸収体により構成されている、上記（５）に記載の吸収体物品。
【発明の効果】
【０００９】
本発明の吸収体物品は、谷形の立体形状の体液受容キャナルを形成する吸収体物品において、少なくとも股下部で、吸収体が下側に凸型の形状を呈するようにし、また、少なくとも股下部で、吸収体の表面と体液受容キャナルの底面の下面に相当するキャナルシートの部分とが結合した底面結合部を設け、かつ、少なくとも股下部で、吸収体の表面と体液受容キャナルの左右側面の外側に相当するキャナルシートの部分とが結合した側面結合部を設けることにより、体液受容キャナルの谷形の立体形状を安定的に保持することができ、排出された体液と着用者の肌との接触をより効果的に回避することができる。
【図面の簡単な説明】
【００１０】
【図１】本発明の吸収体物品の模式的な正面図である。
【図２】本発明の吸収体物品の実施態様の例を示す模式図である。
【図３】本発明の吸収体物品の種々の実施態様の例を示す模式図である。
【図４】本発明の吸収体物品の種々の実施態様の例を示す模式図である。
【図５】本発明の吸収体物品の種々の実施態様の例を示す模式図である。
【図６】本発明の吸収体物品の実施態様の別の例を示す模式図である。
【図７】従来の吸収体物品の模式的な正面図である。
【符号の説明】
【００１１】
１、１’、１００、１００ａ、１００ｂ、１００ｃ、１００ｄ、１００ｅ、１００ｆ、１００ｇ、１００ｈ、１００ｉ、１０１  吸収体物品
２、２’、１０、１０ａ  防漏体
３、３’、１２、１２ａ、１２ｂ、１２ｃ、１２ｄ、１２ｅ、１２ｆ、１２ｇ、１２ｈ、１２ｉ、１２ｊ  吸収体
４、４’  スタンディングレッグギャザー（ＳＬＧ）
５、１４、１４ａ  頭部伸縮体
６、１６、１６ａ  キャナルシート
１２ｇ’、１２ｈ’、１２ｉ’、１２ｊ’  全体吸収体
１２ｇ”、１２ｈ”、１２ｉ”、１２ｊ”  部分吸収体
１３  サイドシート
１８  前端結合部
２０  後端結合部
２２、３４、３４ａ  結合部
２４、２４ａ、２４ｂ、２４ｃ、２４ｄ、２４ｅ、２４ｆ、２４ｇ、２４ｈ、２４ｉ、２４ｊ  底面結合部
２６、２６ａ、２６ｂ、２６ｃ、２６ｄ、２６ｅ、２６ｆ、２６ｇ、２６ｈ、２６ｉ、２６ｊ  側面結合部
２８  アウターレッグギャザー（ＯＬＧ）
３０  着脱部材
３２、３２ａ、３２ｂ、３２ｃ  切り込み
３６  サーフェスシート
３８、３８ａ、３８ｂ、３８ｃ  部分吸収体結合部
４０  プレス線
４２  切欠き
Ｃ  股下部
Ｃａ  体液受容キャナル
Ｆ  前身頃
Ｒ  後身頃
Ｗ  着用者
【発明を実施するための形態】
【００１２】
以下、本発明の吸収体物品を添付図面に示す好適実施形態に基づいて詳細に説明する。なお、本明細書においては、本発明の吸収体物品を実際に着用した場合に、着用者の肌に近い側を「上」といい、遠い側を「下」という。また、本発明の吸収体物品を実際に着用した場合に、着用者の体の前側に対応する側を「前」といい、後側に対応する側を「後」という。また、各図中、理解を容易にするために、実際には接触している部材を離間させて示すことがある。添付した図面中の各平面図においては、図の左側に吸収体物品等の前側が位置するように図示してある。
また、本明細書においては、「吸収体物品本体」とは、吸収体物品の構成部材である防漏体、防漏体上に設けることができるトップシート、その他吸収体物品に設けることができる各種部材を総称していうものである。
【００１３】
さらに、本明細書においては、「吸収体の表面」とは、吸収体が露出している場合は、その表面を意味し、吸収体が拡散シート、アクイジションシート、トップシート（サーフェスシート）、コアラップシート等で被覆されている場合は、被覆している拡散シート、アクイジションシート、トップシート（サーフェスシート）、コアラップシート等の表面を意味する。
【００１４】
初めに、本発明の吸収体物品のコンセプトを、従来の吸収体物品との対比において説明する。
【００１５】
図１は、本発明の吸収体物品の模式的な正面図である。図１（Ａ）は、着用前の状態を示し、図１（Ｂ）は、着用時の状態を示している。なお、図１においては、本来、正面からは見えない吸収体、頭部伸縮体、キャナルシート及びスタンディングレッグギャザー（以下「ＳＬＧ」ともいう。）を可視的に示している。
また、図７は、従来の吸収体物品の模式的な正面図である。図７（Ａ）は、着用前の状態を示し、図７（Ｂ）は、着用時の状態を示している。なお、図７においては、本来、正面からは見えない吸収体及びＳＬＧを可視的に示している。
図１に示される本発明の吸収体物品１及び図７に示される従来の吸収体物品１’は、それぞれパンツ型おむつとして構成されている。
【００１６】
従来の吸収体物品は、着用前においては、図７（Ａ）に示されるように、防漏体２’及び吸収体３’は左右方向に自然に伸びており、ＳＬＧ４’は起立している状態にある。
しかしながら、着用時になると、図７（Ｂ）に示されるように、ウエスト部が左右に広がり、防漏体２’及び吸収体３’は着用者Ｗの排出器周辺に接触するように引き上げられ、同時に、狭い股下部に押し込まれて、不均一な複数のひだを形成した状態（いわゆる「バンチング状態」）に変形し、また、ＳＬＧ４’は着用者Ｗの大腿部に接触して押しつぶされ、フラット化する。このような状態になると、股下部からの横漏れが発生しやすくなり、また、吸収体３’の表面が着用者の排泄器周辺の肌に密着するため、皮膚のかぶれを引き起こしやすい。
【００１７】
本発明の吸収体物品１は、頭部伸縮体５と結合するキャナルシート６が谷形の立体形状の体液受容キャナルＣａを形成する一方で、吸収体３が下側に凸型の形状を呈するようになっている。
本発明の吸収体物品１は、着用前においては、図１（Ａ）に示されるように、防漏体２及び吸収体３は左右方向に伸びており、ＳＬＧ４は起立している状態にある。この点で、従来の吸収体物品１’と実質的な差異はない。また、キャナルシート６は、左右方向に伸び切ってほぼＵ字型を呈している。
また、着用時においては、図１（Ｂ）に示されるように、ウエスト部は左右に広がるが、防漏体２は股下部で左右から押されてＶ字型になり、吸収体３は伸び切って下側に凸型の形状を呈する。頭部伸縮体５は着用者Ｗの排泄器の左右両縁に位置して保持され、キャナルシート６は伸びきって谷形の立体形状の体液受容キャナルＣａを形成し、ＳＬＧ４は起立している状態を保持している。
【００１８】
このように、本発明の吸収体物品１は、後に詳述する構成を採ることにより、股下部において、体液受容キャナルＣａの谷形の立体形状を安定的に保持させ、排出された体液と着用者Ｗの肌との接触を効果的に回避するものである。これにより、着用者Ｗの肌のかぶれが効果的に防止される。また、吸収体３が伸び切っているため、ブロッキングが起こりにくくなり、体液の吸収能を十分に発揮することができるようになり、吸収体３により吸収されない体液による漏れが効果的に防止される。
つぎに、本発明の吸収体物品の具体的な実施形態について説明する。
【００１９】
図２は、本発明の吸収体物品の実施態様の例を示す模式図である。図２（Ａ）は、吸収体物品に応力を加えない場合の（弛緩状態の）股下部における横端面図である。図２（Ｂ）及び図２（Ｃ）は、吸収体物品に応力を加えて前後方向及び左右方向に引っ張って展開し、ほぼ平面状にした状態（緊張状態）を模式的に示した展開平面図である。図２（Ｂ）には、頭部伸縮体及びキャナルシート以外の部分を、図２（Ｃ）には、頭部伸縮体及びキャナルシートの部分を示しているが、実際には、図２（Ｃ）に示される各種の結合部により、図２（Ｃ）中のキャナルシートと図２（Ｂ）中の吸収体等とが結合している。なお、図２（Ａ）は、図２（Ｂ）及び図２（Ｃ）中のＩＩＡ−ＩＩＡ線に沿った横端面図となっている。
【００２０】
図２に示される吸収体物品１００は、子供用テープ型おむつ（Ｍサイズ（体重６〜１１ｋｇ程度用））として構成されている。
以下に説明する吸収体物品１００の各部材の大きさは、Ｍサイズである場合の一例であり、適宜変更することができるものであり、また、吸収体物品のサイズが異なれば、当然各部材の大きさも変わってくる。また、以下に説明する吸収体物品１００の各部材の大きさは、特に記載のない限り、緊張状態のものである。
【００２１】
図２に示される本発明の吸収体物品１００は、基本的に、シート状の防漏体１０と、防漏体１０の上部に少なくとも１層配置された、体液を吸収しうる吸収体１２とを有する吸収体物品本体と、前記吸収体物品本体の前後方向の前端部から前身頃Ｆ、股下部Ｃ及び後見頃Ｒを経て、後端部にわたって配置され、前記吸収体物品本体と前記前端部及び前記後端部において結合する、左右一対の頭部伸縮体１４と、左右縁部がそれぞれ左右一対の頭部伸縮体１４と結合するキャナルシート１６とを有している。
【００２２】
防漏体１０の材質は、一般に、バックシートとして用いられているものを用いることができる。具体的には、例えば、ＰＥ、ＰＰ、ＰＥＴ、ＥＶＡ等の樹脂のフィルム；前記樹脂の発泡シート等の体液不透過性シートを用いることができる。体液不透過性シートは、通気性フィルム等の通気性を有するものも好適に用いられる。
【００２３】
また、前記樹脂のフィルムを用いる場合には、感触や外観を向上させるために、フィルムと不織布との複層シートとして用いることもできる。この場合、不織布としては、比較的低目付のＳＢ、ＳＭＳ、サーマルボンド不織布（例えば、エアスルータイプ）等が好適に用いられる。
また、前記樹脂のフィルムと後述するシート状吸収体との複層シートを用いることもできる。
また、高耐水性不織布を用いることもできる。高耐水性不織布としては、例えば、耐水度１００ｍｍＨ2Ｏ以上の耐水性を有するＳＭＳ、マイクロウェブの細孔をミクロフィブリル化セルロース（ＭＦＣ）やワックスで充填することにより耐水性を付与されたＳＭＳが挙げられる。この場合、単独で用いてもよく、フィルムと高耐水性不織布との複層シートとして用いることもできる。
【００２４】
防漏体１０は、複数の部材から構成されていてもよい。
【００２５】
防漏体１０は、シート状であり、吸収体１２等を上部に収納し、かつ、頭部伸縮体１４及びキャナルシート１６を配置することができる。
【００２６】
防漏体は、図２（Ａ）に示されるように、少なくとも股下部Ｃにおいて、下側に凸型の形状となるのが好ましい。
【００２７】
防漏体１０としては、例えば、通気性ＰＥフィルム（例えば、厚さ２０μｍ）にＳＭＳ不織布（例えば、目付量１３ｇ／ｍ2）を積層したものを好適に使用することができる。
防漏体１０は、吸収体物品本体の前端部から後端部までわたって配置されている。防漏体１０は、前後方向の長さを、例えば、４４０ｍｍ、左右方向の幅を、例えば、２７０ｍｍとすることができる。
【００２８】
本発明に用いられる吸収体１２は、体液を吸収しうるものであり、かつ、シート状のものである。本件明細書において、「シート状」とは、ばらばらにならず一体化してシートとして取り扱いできることを意味する。
本発明においては、例えば、従来公知の吸収体物品に用いられるフラッフ状の木材パルプや、粉体状のＳＡＰを単独で又は混合して使用したものであっても、マット状に成形されその上下部をティシュや不織布などのコアラップシートで被覆し、形態を安定化しＳＡＰやパルプの脱落を防止して一体として取り扱いうるものを、シート状吸収体として用いることができる。また、後述するようなＳＡＰの含有量を高め、形態安定性とＳＡＰの脱落防止性能とを有するシート状吸収体を用いることもできる。また、シート状吸収体に、上述したフラッフ状パルプや粉末状ＳＡＰを上面や下面に追加して、併用することもできる。さらに、従来公知のシート状吸収体を用いることもできる。
【００２９】
シート状吸収体の中でも、ＳＡＰを５０質量％以上、好ましくは６０質量％以上、より好ましくは７０質量％以上含有する高吸水性シートであるのが好ましい。また、高吸水性シートにおけるＳＡＰの含有量は、高吸水性シートの安定性等の点で、９５質量％以下であるのが好ましい。
高吸水性シートは、ＳＡＰを主成分とする極薄のシート状吸収体である。高吸水性シートは、ＳＡＰの含有量が極めて高いため、厚さが極めて薄い。高吸水性シートの厚さは、１．５ｍｍ以下であるのが好ましく、１ｍｍ以下であるのがより好ましい。
高吸水性シートは、ＳＡＰを主成分とする極薄のシート状吸収体であれば、構成や製造方法を特に限定されない。
【００３０】
例えば、Ａｉｒ  Ｌａｉｄ法で得られる高吸水性シートが挙げられる。Ａｉｒ  Ｌａｉｄ法は、粉砕した木材パルプとＳＡＰとを混合し、結合剤を添加してシート状に成形して高吸水性シートを得る方法である。この方法で得られる高吸水性シートとしては、例えば、米国レオニヤ（Ｒａｙｏｎｉｅｒ）社製のＮＯＶＡＴＨＩＮ（米国登録商標）、王子キノクロス社製のＢ−ＳＡＰが知られている。
【００３１】
また、ＳＡＰの分散スラリーを不織布等の体液透過性シートの上にコーティングする方法で得られる高吸水性シートも挙げられる。ここで、ＳＡＰの分散スラリーは、ＳＡＰとミクロフィブリル化セルロース（ＭＦＣ）とを、水とエタノールとの混合溶媒に分散させたものであるのが好ましい。この方法で得られる高吸水性シートとしては、例えば、（株）日本吸収体技術研究所製のＭｅｇａＴｈｉｎ（登録商標）が知られている。
【００３２】
そのほかに、例えば、起毛状不織布にＳＡＰを大量に担持させ、ホットメルトバインダー、エマルションバインダー、水性繊維等で固定する方法で得られる高吸水性シート、繊維状ＳＡＰをＰＥＴ（ポリエチレンテレフタレート）繊維と混合してウェブ状に成形する方法で得られる高吸水性シート、ＳＡＰ層の上下をティッシュで挟んだＳＡＰシートが挙げられる。
【００３３】
シート状吸収体は、全面にＳＡＰを担持する態様であってもよく、例えば、前後方向又は左右方向にストライプ状にＳＡＰを担持する箇所とＳＡＰを担持しない箇所とを有する態様であってもよい。
吸収体１２は、防漏体１０の上部に、少なくとも１層配置される。すなわち、吸収体１２は、１層であってもよく、２層以上（複数層）であってもよい。
また、吸収体１２は、折りたたんだ状態で配置することもできる。
【００３４】
吸収体１２としては、例えば、ＳＡＰとパルプとの混合物をホットメルト接着剤で結合するＡｉｒ  Ｌａｉｄ法により得られた、長方形状（例えば、前後方向の長さ３５０ｍｍ、左右方向の幅１００ｍｍ）のシート状吸収体（目付量ＳＡＰ１５０ｇ／ｍ2、パルプ２００ｇ／ｍ2）を好適に使用することができる。
【００３５】
吸収体１２は、防漏体１０の上に、左右方向の中央部に、前身頃Ｆから股下部Ｃを経て後身頃Ｒまで配置されている。
【００３６】
吸収体１２には、左右両縁から中央部に向けて、それぞれ２本ずつの切り込み３２が設けられている。前方の切り込みは、前身頃Ｆの後端付近において、縁部から中央部に行くに従い前から後ろになるように斜めに設けられており、後方の切り込みは、股下部Ｃの後端付近において、縁部から中央部に行くに従い後ろから前になるように斜めに設けられている。
【００３７】
吸収体１２においては、縁部と２本の切り込み３２と左右方向の中央の折り曲げ部（図２（Ｂ）中、破線で示す。）とで形成される、台形部分（例えば、折り曲げ部の長さ９０ｍｍ、縁部の長さ１２０ｍｍ、左右方向の幅４５ｍｍ）が形成される。この台形部分は、防漏体１０とは結合されておらず、折り曲げ部を基点に上側に立ち上がって、後述するように、キャナルシート１６の側面と結合される。これにより、吸収体１２は、股下部Ｃにおいて、下側に凸型の形状を呈する。
【００３８】
吸収体１２の台形部分を除く部分は、前身頃Ｆ及び後身頃Ｒ、並びに、股下部Ｃの左右方向の中央の帯状の部分において、下面が結合部３４で、防漏体１０の上面とホットメルト接着剤により結合し、固定されている。
【００３９】
吸収体物品本体は、上述した防漏体１０と、吸収体１２とを有し、他の構成部材を有していてもよい。例えば、サーフェスシートを有していてもよい。サーフェスシートは、例えば、防漏体の上側及び吸収体の上側を全面的に被覆する態様とすることができる。
サーフェスシートとしては、例えば、親水化処理を施した液透過性のＰＰスパンボンド（例えば、目付量１３ｇ／ｍ2）を好適に使用することができる。
【００４０】
左右一対の頭部伸縮体１４は、吸収体物品本体の前後方向の前端部から前身頃Ｆ、股下部Ｃ及び後見頃Ｒを経て、後端部にわたって配置され、吸収体物品本体と前記前端部及び前記後端部において結合している。具体的には、前端結合部１８及び後端結合部２０において結合している。結合の方法は、特に限定されず、例えば、ホットメルト接着剤、熱シール接着等を用いて結合することができる。
【００４１】
ここで、「吸収体物品本体」とは、吸収体物品の部材である防漏体、防漏体上に設けることができるトップシート、サーフェスシート、その他吸収体物品に設けることができる各種部材を総称していうものである。頭部伸縮体は、防漏体に結合して設けられてもよく、防漏体上に設けられたトップシートやその他の部材に結合して設けられてもよく、複数の部材にわたって結合して設けられてもよい。
【００４２】
左右一対の頭部伸縮体１４は、弾性体によって構成される。弾性体は帯状、テープ状、糸状等の形状を採りうるが、中でも、糸状の弾性糸が好適に用いられる。
弾性糸は、特に限定されず、例えば、天然ゴム糸、合成ゴム糸、ポリウレタンフィラメント、弾性フィルムの細分化テープ等の糸状を呈する材料である。
【００４３】
弾性糸は、長さが、例えば、約１．２〜約３倍の範囲となるように応力を加えて伸長した状態にして、薄い不織布等の基材上に、２本以上、好ましくは３本〜１０本、並列に並べて接着剤等の結合剤で固定して用いることができる。応力を加えるのを止めると、収縮し、短くなる。
【００４４】
左右一対の頭部伸縮体１４としては、例えば、３本のポリウレタンフィラメント（例えば、６００ｄｔｅｘ）を並列に配置したものを好適に使用することができる。頭部伸縮体１４は、ＳＭＭＳ不織布（例えば、目付量１５ｇ／ｍ2）により被覆されている。頭部伸縮体１４は、例えば、前後方向の長さ４４０ｍｍ、左右方向の幅３５ｍｍとすることができる。
【００４５】
左右一対の頭部伸縮体は、弾性糸が吸収体物品本体の前端部から後端部まで存在する態様でもよく、弾性糸が前端部から後端部までの一部（例えば、前端部付近及び／又は後端部付近）には存在しない態様であってもよい。後者の態様の場合、例えば、左右一対の頭部伸縮体を被覆する部材（例えば、不織布からなるシート状部材（キャナルシートを構成する部材の延長であってもよい。）。）のみが吸収体物品本体と前端部及び後端部と結合していてもよい。
【００４６】
キャナルシート１６は、左右縁部の上面がそれぞれ左右一対の頭部伸縮体１４と、頭部伸縮体１４の前後方向の全長にわたる結合部２２において、結合している。
キャナルシートは、左右一対の頭部伸縮体の前後方向の全長にわたって存在していてもよく、左右一対の頭部伸縮体の前後方向の一部（例えば、前端部及び／又は後端部）を除いた部分において存在していてもよい。
【００４７】
キャナルシート１６は、前身頃Ｆ、股下部Ｃ及び後身頃Ｒにおいて、図２（Ａ）に示されるように、頭部伸縮体１４の下側に、凸型に垂下するように構成されている。
【００４８】
キャナルシートは、材料を特に限定されないが、例えば、ＰＥ、ＰＰ、ＰＥＴ、ポリウレタン、ＳＢＲ系ゴム、ＰＶＡ、ＥＶＡ等の合成樹脂のフィルム、開孔シート及びネット状シート；ＰＥ繊維、ＰＰ繊維、ＰＥＴ繊維、ＰＥ／ＰＰ複合繊維、ＰＥ／ＰＥＴ複合繊維等の合成繊維を構成成分とする乾式不織布、湿式不織布、スパンボンド不織布、スパンボンド／メルトブローン／スパンボンド積層体に代表されるスパンメルト不織布；木材パルプ、コットン、レーヨン、リヨセル、アセテート等のセルロース類を主成分とする親水性繊維を構成成分とする乾式不織布、湿式不織布及びスパンボンド不織布が好適に挙げられる。
キャナルシート１６は、例えば、表面親水化処理したＰＥ／ＰＰスパンボンド不織布（例えば、目付量１５ｇ／ｍ2）が好適に用いられる。
キャナルシート１６は、例えば、前後方向の長さ４４０ｍｍ、左右方向の幅１５０ｍｍとすることができる。
【００４９】
吸収体物品１００においては、図２（Ａ）に示されるように、キャナルシート１６が頭部伸縮体１４の下側に、凸型に垂下するように構成され、左右一対の頭部伸縮体１４の間隙が上部開口となり、キャナルシート１６の左右縁部付近が側面、その左右方向の中央部付近が底面となる、谷形（Ｖ字形、Ｕ字形とも呼ばれる。）の立体形状の体液受容キャナルＣａを形成している。体液受容キャナルＣａは、前身頃、股下部及び後身頃において、形成される。
【００５０】
吸収体物品１００は、少なくとも股下部Ｃにおいて、吸収体物品本体のうちの吸収体１２の表面と体液受容キャナルＣａの底面の下面に相当するキャナルシート１６の部分とが結合した底面結合部２４を有する。
底面結合部２４は、キャナルシート１６の左右方向の中央の位置で、前身頃Ｆの後端付近から、股下部Ｃを経て、後身頃Ｒの前端付近に至る線状（帯状）に設けられている（図２（Ｃ）参照）。底面結合部２４は、前後方向の長さが、例えば、１８０ｍｍである。キャナルシート１６の下面の一部と吸収体１２の表面とを結合する方法は、特に限定されず、例えば、ホットメルト接着剤、熱シール接着等を用いて結合することができる。
【００５１】
また、吸収体物品１００は、少なくとも股下部Ｃにおいて、吸収体物品本体のうちの吸収体１２の台形部分の表面と体液受容キャナルＣａの左右側面の外側に相当するキャナルシート１６の部分とが結合した側面結合部２６を有する。
側面結合部２６は、キャナルシート１６の左右両側において、前身頃Ｆの後端付近から股下部Ｃの後端付近に至る線状（帯状）に設けられている（図２（Ｃ）参照）。側面結合部２６は、前後方向の長さが、例えば、１００ｍｍである。キャナルシート１６の左右側面の一部と吸収体１２の表面とを結合する方法は、特に限定されず、例えば、ホットメルト接着剤、熱シール接着等を用いて結合することができる。
【００５２】
このように、股下部Ｃにおいては、下側に凸型の形状を呈する吸収体１２の台形部分と、凸型に垂下するように構成されたキャナルシート１６とが、底面結合部２４及び側面結合部２６において結合し、吸収体１２の上面とキャナルシート１６の下面とが互いに沿うようになっている。
【００５３】
上述したように、キャナルシート１６は、前端結合部１８、後端結合部２０、底面結合部２４及び左右一対の側面結合部の合計５か所で吸収体物品本体と結合されている。
【００５４】
吸収体物品１００は、弛緩状態では、図２（Ａ）に示されるように股下部Ｃにおいて、底面結合部２４を中心に谷形の立体形状の体液受容キャナルＣａが左右対称に立ち上がり、その側面に添うように、下側に凸型の形状を呈する吸収体１２の台形部分が結合し、キャナルシート１６の側面が吸収体１２で補強された状態になっている。
【００５５】
防漏体１０上においては、吸収体１２の左右両側に弾性糸が配置され、サイドシート１３により被覆されることにより固定され、アウターレッグギャザー（ＯＬＧ）２８を構成している。
【００５６】
サイドシート１３は、疎水性であり、例えば、ＳＭＭＳ不織布（例えば、目付量１５ｇ／ｍ2）を用いることができる。サイドシート１３は、左右方向の幅が、例えば、８０ｍｍである。
【００５７】
弾性糸としては、例えば、３本のポリウレタンフィラメント（例えば、４７０ｄｔｅｘ）を用いることができる。これらの弾性糸は、並列に配置され、これらを上下から挟んで固定する防漏体１０及びサイドシート１３とともに、左右方向における左右一対の頭部伸縮体１４が存在する位置よりも外側に、更に、左右一対のＯＬＧを構成する。
本発明においては、ＯＬＧは、この構成に限定されず、例えば、従来公知の吸収体物品に用いられるＯＬＧの構成を用いることができる。
【００５８】
防漏体１０の後端付近の左右両側には、着脱部材３０が設けられている。防漏体１０の前端付近の下面には、着脱部材と互いに着脱自在となるように、着脱部材（図示せず）が設けられている。これらの着脱部材は、例えば、各種面ファスナーにより構成することができる。
【００５９】
吸収体物品１００においては、上述したように、（ｉ）左右一対の頭部伸縮体１４と、左右縁部がそれぞれ左右一対の頭部伸縮体１４と結合するキャナルシート１６とを有し、キャナルシート１６が前身頃Ｆ、股下部Ｃ及び後身頃Ｒにおいて、頭部伸縮体１４の下側に、凸型に垂下するように構成され、左右一対の頭部伸縮体１４の間隙が上部開口となり、キャナルシート１６の左右縁部付近が側面、キャナルシート１６の左右方向の中央付近が底面となる、谷形の立体形状の体液受容キャナルＣａを形成していること、（ｉｉ）少なくとも股下部Ｃにおいて、吸収体１２が下側に凸型の形状を呈していること、（ｉｉｉ）少なくとも股下部Ｃにおいて、吸収体１２の表面と体液受容キャナルＣａの底面の下面に相当するキャナルシート１６の部分とが結合した底面結合部２４を有し、かつ、少なくとも股下部Ｃにおいて、吸収体１２の表面と体液受容キャナルＣａの左右側面の外側に相当するキャナルシート１６の部分とが結合した側面結合部２６を有するという構成を採る。
これにより、股下部Ｃにおけるキャナルシート１６が、吸収体１２により、特に、両側面において補強され、体液受容キャナルＣａの谷形の立体形状が安定的に保持される。そのため、体液受容キャナルＣａの存在による物理的空間の生成により、着用者の肌と吸収体１２の表面との離間距離が十分に保たれ、肌の濡れを確実に防止し、かぶれの発生を抑制することができる。
そして、着用者が体液を排出した場合において、体液受容キャナルＣａが体液をその内部に受容し、受容した体液を体液受容キャナルＣａの内部で前後に移動し、キャナルシート１６に設けられた通路から吸収体１２の表面に移送し、体液の吸収を完了する、という一連の体液吸収システムが完成する。
【００６０】
吸収体物品１００は、着用時においては、着用者の肌に直接接する部位が体液受容キャナルＣａの両縁に浮上状態で存在する頭部伸縮体１４のみとなり、尿排出器も肛門も、左右一対の頭部伸縮体１４の間の開口に収容される。
したがって、着用者が尿を排出すると、排出された尿はその全量が、まずこの体液受容キャナルＣａ内に収容され、尿が吸収体１２の表面に直接排出されることはない。
体液受容キャナルＣａ内に貯留された尿は、その後、体液の出口から吸収体１２の表面に分配して、供給される。
吸収体物品１００においては、体液受容キャナルＣａにおいて、出口が明示されていないが、キャナルシート１６が親水性の不織布により構成され、液透過性となっており、この不織布の有する多数の細孔が体液の出口となっている。よって、体液受容キャナルＣａ内に貯留された尿は、その後、多数の細孔を通じて、吸収体１２の表面に分配して、供給される。
このように、キャナルシートの一部又は全部が親水性の不織布により構成されているのは、本発明の好適な態様の一つである。
上述したように、体液受容キャナルＣａは、着用者から排出された体液の受容及び吸収体１２への移行を可能とする。また、体液は、体液受容キャナルＣａ内を移動し、体液受容キャナルＣａの出口を通じて吸収体１２に分配される。
吸収体物品１００の着用時においては、尿の１回目の排出のみならず、２回目以降の排出についても、排出された尿は全量がまず体液受容キャナルＣａ内に収容され、直接吸収体１２の表面に排出されることはない。
したがって、着用開始時から着用終了時まで、体液受容キャナルＣａがバリヤーとなり、着用者の肌が吸収体１２の表面に接触して肌を濡らす状態とはならない。
吸収体物品１００においては、排出された体液は、体液受容キャナルＣａにより全量が受容され、一時的に貯留された後、キャナルシート１６が全面的に液透過性を有しているので、キャナルシート１６の比較的広い領域から滲み出して吸収体１２の表面に供給される。この際、着用体位、排出速度、排出量等の影響を受けるが、吸収体１２の比較的広い範囲の部分を利用することができ、股下部Ｃの部分に対する負荷は大幅に抑制される。
なお、着用者が便を排出した場合には、便中の液成分はキャナルシート１６の細孔から吸収体１２の表面に移行するが、固形成分は全量体液受容キャナルＣａ内にとどまる。
【００６１】
吸収体物品１００においては、以下のような派生的効果も奏する。
下側に凸型の形状を呈している吸収体１２がキャナルシート１６を下から支持しているため、これにより頭部伸縮体１４と着用者の肌との接触状態が安定し、隙間の発生が抑制され、その結果、着用者の肌を伝っての伝い漏れが防止される。
また、下側に凸型の形状を呈している吸収体１２がキャナルシート１６を補強しているため、キャナルシート１６の上下方向のへたりや座屈現象が生じにくくなるため、キャナルシート１６に着用者の体重等に起因する加重が掛かっても、つぶれることなく、安定な空間が確保されるため、体液受容キャナルＣａの内部における前後方向の体液の移動が円滑に行われる。
さらに、下側に凸型の形状を呈している吸収体１２がキャナルシート１６を底面結合部２４のみならず、側面結合部２６においても固定しているため、股下部Ｃから前身頃Ｆにかけての領域、及び、股下部Ｃから後身頃Ｒにかけての領域において、尿や便の受容に係わる、左右一対の頭部伸縮体１４の間隙からなる上部開口の左右方向の幅が、一定に確保され、着用者の動きによる幅の変化が抑制されるため、尿や便を安定的に収容することができる。なお、前身頃Ｆから前端部にかけての領域、及び、後身頃Ｒから後端部にかけての領域においては、吸収体１２がキャナルシート１６と結合していないので、頭部伸縮体１４の可動性が高まり、上部開口の左右方向の幅は狭くなり、深いポケットを形成し、上部開口からの受容した体液のオーバーフローが防止される。
さらに、キャナルシート１６の表面特性と、吸収体１２の吸収膨潤特性とを適宜組み合わせることにより、股下部Ｃにおける体液の吸収体１２の表面への移送が調節され、体液受容キャナルＣａ内での体液の移動状態を良好に調節することができる。例えば、キャナルシート１６が液透過性の場合には、股下部Ｃでは、キャナルシート１６の下側から沿って支持する吸収体１２が体液を吸収して膨潤するため、キャナルシート１６が擬似的に液不透過性となる。
【００６２】
一般に、吸収体は、吸収体物品の構成部材に対して多くの割合（例えば、７０質量％程度）を占める部材であり、厚く、かつ、剛性が高く、他方で、不織布等から構成されるキャナルシートは、薄く、かつ、柔軟であるため、極めて変形しやすい。
したがって、キャナルシートの側面と吸収体の表面とを結合すると、通常は、先行技術文献として挙げた特許第５２３６１２２号公報の図４（Ｂ）に示される態様、図４（Ｃ）に示される態様、図６（Ｆ）〜図６（Ｈ）に示される態様、及び、図６（Ｉ）〜図６（Ｋ）に示される態様のように、キャナルシートは、吸収体の形状に沿った形状となる。
本発明の吸収体物品においては、キャナルシートが、股下部でＶ字型の断面と最大の深度を持ち、頭部の間隔が狭くなる構造を安定的に取るようにするために、吸収体の形状を下側に凸型の形状になるようにする。
【００６３】
図３〜図５は、それぞれ、本発明の吸収体物品の種々の実施態様の例を示す模式図である。
図３（Ａ）、図３（Ｃ）、図３（Ｅ）、図４（Ａ）、図４（Ｃ）、図４（Ｅ）、図５（Ａ）、図５（Ｃ）及び図５（Ｅ）は、それぞれ前後方向及び左右方向に引っ張って展開し、ほぼ平面状にした状態の展開平面図であり、図３（Ｂ）、図３（Ｄ）、図３（Ｆ）、図４（Ｂ）、図４（Ｄ）、図４（Ｆ）、図５（Ｂ）、図５（Ｄ）及び図５（Ｆ）は、それぞれ応力を加えない場合の（弛緩状態の）股下部における横端面図（例えば、図３（Ｂ）は、図３（Ａ）中のＩＩＩＢ−ＩＩＩＢ線に沿った横端面図）である。なお、各展開平面図においては、頭部伸縮体及びキャナルシートは、図示を省略している。
【００６４】
図３に示される吸収体物品は、いずれも、吸収体物品本体が、左右方向の中央部付近において折れ曲がりやすくなっている態様である。本明細書において、「折れ曲がりやすくなっている」とは、例えば、「左右方向の中央部付近において折れ曲がりやすくなっている」についていえば、吸収体物品本体の左右方向の中央部付近における剛性が、吸収体物品本体の左右方向の中央部付近以外の部分（例えば、吸収体物品本体の左右方向の中央部付近と左右縁部との間に存在する部分）における剛性よりも低くなっており、吸収体物品本体を前後方向に延在する折れ線を設けて折り曲げようとした場合に、左右方向の中央部付近において折れ曲がるような状態をいう。
【００６５】
図３（Ａ）及び図３（Ｂ）に示される吸収体物品１００ａにおいては、防漏体１０ａの上に長方形状の吸収体１２ａが配置され、その上側において防漏体１０ａの全面をサーフェスシート３６が被覆している。
吸収体１２ａは、左右方向の中央部付近の厚さがその両側の部分の厚さより薄くなっている。
吸収体１２ａとキャナルシート１６ａとは、前身頃Ｆの後端から股下部Ｃを経て後身頃Ｒの前端にかけて前後方向に線状に延在する底面結合部２４ａと、股下部Ｃにおいて前後方向に線状に延在する側面結合部２６ａとにより、サーフェスシート３６を介して結合している。底面結合部２４ａは、吸収体１２ａの薄い部分において設けられ、側面結合部２６ａは、吸収体１２ａの厚い部分において設けられている。
吸収体物品１００ａは、上記の構成により、吸収体物品本体が、左右方向の中央部付近（図３（Ａ）の一点鎖線部）において折れ曲がりやすくなっている。その結果、吸収体１２ａは、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００６６】
図３（Ｃ）及び図３（Ｄ）に示される吸収体物品１００ｂは、基本的に、吸収体物品１００ａと同様であるが、吸収体の形状及び配置状態が異なる。
吸収体１２ｂは、吸収体物品本体の左右方向の中央部付近の両側に配置されており、吸収体物品本体の左右方向の中央部付近においては吸収体が存在しない。
吸収体物品本体のうちのサーフェスシート３６とキャナルシート１６ａとは、前身頃Ｆの後端から股下部Ｃを経て後身頃Ｒの前端にかけて前後方向に線状に延在する底面結合部２４ｂにより、結合している。また、吸収体物品本体のうちの吸収体１２ｂとキャナルシート１６ａとは、股下部Ｃにおいて前後方向に線状に延在する側面結合部２６ｂにより、サーフェスシート３６を介して結合している。
吸収体物品１００ｂは、上記の構成により、吸収体物品本体が、左右方向の中央部付近（図３（Ｃ）の一点鎖線部）において折れ曲がりやすくなっている。その結果、吸収体１２ｂは、左右方向の中央部付近においては存在しないが、全体的に下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００６７】
図３（Ｅ）及び図３（Ｆ）に示される吸収体物品１００ｃは、基本的に、吸収体物品１００ａと同様であるが、吸収体の形状及び配置状態が異なる。
吸収体１２ｃは、ＳＡＰ担持部分が前後方向にストライプ状に配置されたシート状吸収体であり、吸収体物品本体の左右方向の中央部付近においてはＳＡＰを担持していない。
吸収体物品本体のうちの吸収体１２ｃとキャナルシート１６ａとは、前身頃Ｆの後端から股下部Ｃを経て後身頃Ｒの前端にかけて前後方向に線状に延在する底面結合部２４ｃと、股下部Ｃにおいて前後方向に線状に延在する側面結合部２６ｃとにより、サーフェスシート３６を介して結合している（なお、底面結合部２４ｃは、吸収体１２ｃのＳＡＰを担持していない部分と結合している。）。
吸収体物品１００ｃは、上記の構成により、吸収体物品本体が、左右方向の中央部付近（図３（Ｅ）の一点鎖線部）において折れ曲がりやすくなっている。その結果、吸収体１２ｃは、全体的に下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００６８】
図４に示される吸収体物品は、いずれも、吸収体が、股下部において、左右縁部から中央に向かう切り込みを有し、左右縁部から中央に向かって折れ曲がる部分を有する態様である。
【００６９】
図４（Ａ）及び図４（Ｂ）に示される吸収体物品１００ｄにおいては、防漏体１０ａの上に長方形状の吸収体１２ｄが配置されている。
吸収体１２ｄは、均一なマット状のシート状吸収体である。
吸収体１２ｄには、左右両縁から中央部に向けて、それぞれ２本ずつの切り込み３２ａが設けられている。前方の切り込みは、前身頃Ｆの後端付近において、縁部から中央部に行くに従い前から後ろになるように斜めに設けられており、後方の切り込みは、股下部Ｃの後端付近において、縁部から中央部に行くに従い後ろから前になるように斜めに設けられている。この切り込み３２ａの態様は、吸収体物品１００における切り込み３２の態様とほぼ同じである。
吸収体１２ｄにおいては、縁部と２本の切り込み３２ａと左右方向の中央の折り曲げ部（図４（Ａ）中、破線で示す。）とで形成される、台形部分が形成される。この台形部分は、防漏体１０ａとは結合されておらず、折り曲げ部を基点に上側に立ち上がって、キャナルシート１６ａの側面と結合される。
吸収体１２ｄの左右方向の中央部には、前身頃Ｆの後端付近から股下部Ｃを経て後身頃Ｒの前端付近に至る範囲に底面結合部２４ｄが設けられている。また、吸収体１２ｄの台形部分には、側縁付近に側面結合部２６ｄが設けられている。
吸収体物品１００ｄは、上記の構成により、吸収体１２ｄが、股下部Ｃにおいて、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００７０】
図４（Ｃ）及び図４（Ｄ）に示される吸収体物品１００ｅは、基本的に、吸収体物品１００ｄと同様であるが、吸収体の構造及び切り込みの態様が異なる。
吸収体１２ｅは、ＳＡＰ担持部分が左右方向にストライプ状に配置されたシート状吸収体である。
吸収体１２ｅには、左右両縁から中央部に向けて、それぞれ２本ずつの切り込み３２ｂが設けられている。前方の切り込み及び後方の切り込みは、いずれも、左右方向に平行に設けられている。
吸収体１２ｅにおいては、縁部と２本の切り込み３２ｂと左右方向の中央の折り曲げ部（図４（Ｃ）中、破線で示す。）とで形成される、長方形部分が形成される。この長方形部分は、防漏体１０ａとは結合されておらず、折り曲げ部を基点に上側に立ち上がって、キャナルシート１６ａの側面と結合される。
吸収体１２ｅの左右方向の中央部には、前身頃Ｆの後端付近から股下部Ｃを経て後身頃Ｒの前端付近に至る範囲に底面結合部２４ｅが設けられている。また、吸収体１２ｅの長方形部分には、側縁付近に側面結合部２６ｅが設けられている。
吸収体物品１００ｅは、上記の構成により、吸収体１２ｅが、股下部Ｃにおいて、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
また、吸収体物品１００ｅは、前後方向に曲げやすいという利点を有する。
【００７１】
図４（Ｅ）及び図４（Ｆ）に示される吸収体物品１００ｆは、基本的に、吸収体物品１００ｄと同様であるが、吸収体の構造及び切り込みの態様が異なる。
吸収体１２ｆは、ＳＡＰ担持部分が前後方向にストライプ状に配置されたシート状吸収体である。
吸収体１２ｆには、左右両縁から中央部に向けて、それぞれ２本ずつの切り込み３２ｃが設けられている。前方の切り込みは、前身頃Ｆの後端付近において、縁部から中央部に行くに従い後ろから前になるように斜めに設けられており、後方の切り込みは、股下部Ｃの後端付近において、縁部から中央部に行くに従い前から後ろになるように斜めに設けられている。
吸収体１２ｆにおいては、縁部と２本の切り込み３２ｃと左右方向の中央の折り曲げ部（図４（Ｅ）中、破線で示す。）とで形成される、台形部分が形成される。この台形部分は、防漏体１０ａとは結合されておらず、折り曲げ部を基点に上側に立ち上がって、キャナルシート１６ａの側面と結合される。
吸収体１２ｆの左右方向の中央部には、前身頃Ｆの後端付近から股下部Ｃを経て後身頃Ｒの前端付近に至る範囲に底面結合部２４ｆが設けられている。また、吸収体１２ｆの長方形部分には、側縁付近に側面結合部２６ｆが設けられている。
吸収体物品１００ｆは、上記の構成により、吸収体１２ｆが、股下部Ｃにおいて、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
また、吸収体物品１００ｆは、吸収体物品本体が、左右方向の中央部付近において折れ曲がりやすいという利点を有する。
【００７２】
図３及び図４に示される各吸収体物品においては、吸収体の平面形状が、長方形状でなくてもよく、例えば、砂時計型であってもよい。また、防漏体の左右側縁に伸縮性部材を配置して、レッグギャザーを構成してもよい。
【００７３】
図５に示される吸収体物品は、いずれも、吸収体が、吸収体物品本体の前端部から前身頃、股下部及び後身頃を経て後端部にわたって配置される全体吸収体と、前記全体吸収体の上側に、股下部を含む領域のみに配置されるシート状の部分吸収体とから構成され、前記部分吸収体が、左右方向の少なくとも１箇所において折れ曲がりやすくなっている態様である。
【００７４】
図５（Ａ）及び図５（Ｂ）に示される吸収体物品１００ｇにおいては、吸収体１２ｇが、全体吸収体１２ｇ’と部分吸収体１２ｇ”とにより構成され、配置されている。全体吸収体１２ｇは、パルプとＳＡＰとの混合物からなる均一なマット状のシート状吸収体である。部分吸収体１２ｇ”は、ＳＡＰの含有量が７０質量％以上のシート状吸収体である。
具体的には、防漏体１０ａの上に吸収体物品本体の前端部から前身頃Ｆ、股下部Ｃ及び後身頃Ｒを経て後端部にわたって配置される前後方向に長い長方形状の全体吸収体１２ｇ’が配置され、全体吸収体１２ｇ’の上側に、股下部Ｃのみに、左右方向に長い長方形状の部分吸収体１２ｇ”が配置されている。
全体吸収体１２ｇ’の下面と防漏体１０ａの上面とは、例えば、ホットメルト接着剤のスプレー塗布により全面において結合している。
部分吸収体１２ｇ”の下面と全体吸収体１２ｇ’の上面とは、左右方向の中央部において、前後方向に帯状に延在する部分吸収体結合部３８によって結合されている。部分吸収体結合部３８の位置は、後述するキャナルシート１６ａと部分吸収体１２ｇ”との底面結合部２４ｇの位置と、上下でほぼ同一になっている。
部分吸収体１２ｇ”には、左右の側縁付近に側面結合部２６ｇが設けられている。
全体吸収体１２ｇ’の左右方向の中央部には、プレス機により付けられた折り目である、プレス線４０が設けられ、吸収体物品本体が、折り曲げられやすくなっている。
吸収体１２ｇのうち部分吸収体１２ｇ”は、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００７５】
図５（Ｃ）及び図５（Ｄ）に示される吸収体物品１００ｈは、基本的に、吸収体物品１００ｇと同様であるが、部分吸収体がスリットを有する点、及び、全体吸収体がプレス線を有しない点で異なる。
吸収体１２ｈは、全体吸収体１２ｈ’と部分吸収体１２ｈ”とにより構成されている。
部分吸収体１２ｈ”は、左右方向の中央部に、股下部において前後方向に延在するスリット状の切欠き４２を有している。これにより、部分吸収体１２ｈ”は、左右方向の中央部で折り曲がりやすくなっている。
全体吸収体１２ｈ’は、全体吸収体１２ｇ’と同様であるが、プレス線を有しない点で異なる。
底面結合部２４ｈ及び部分吸収体結合部３８ａは、それぞれ、底面結合部２４ｇ及び部分吸収体結合部３８と、ほぼ同様であるが、切欠き４２が存在する部分においては、キャナルシート１６ａの下面と、全体吸収体１２ｈ’とが直接結合している点で、異なる。
側面結合部２６ｈは、側面結合部２６ｇと同様である。
吸収体１２ｈのうち部分吸収体１２ｈ”は、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００７６】
図５（Ｅ）及び図５（Ｆ）に示される吸収体物品１００ｉは、基本的に、吸収体物品１００ｇと同様であるが、部分吸収体がＳＡＰ担持部分がストライプ状のシート状吸収体である点、及び、全体吸収体がプレス線を有しない点で異なる。
吸収体１２ｉは、全体吸収体１２ｉ’と部分吸収体１２ｉ”とにより構成されている。
部分吸収体１２ｉ”は、ＳＡＰ担持部分が前後方向にストライプ状に配置されたシート状吸収体である。部分吸収体１２ｉ”は、左右方向の中央部においては、ＳＡＰ担持部分を有しておらず、これにより、部分吸収体１２ｉ”は、左右方向の中央部で折り曲がりやすくなっている。
全体吸収体１２ｉ’は、全体吸収体１２ｇ’と同様であるが、プレス線を有しない点で異なる。
底面結合部２４ｉ、側面結合部２６ｉ及び部分吸収体結合部３８ｂは、それぞれ、底面結合部２４ｇ、側面結合部２６ｇ及び部分吸収体結合部３８と、同様である。
吸収体１２ｉのうち部分吸収体１２ｉ”は、下側に凸型の形状を呈し、頭部伸縮体１４ａの下側に凸型に垂下するように構成されるキャナルシート１６ａに沿った形状となり、キャナルシート１６ａが形成する体液受容キャナルＣａの谷形の立体形状を安定的に保持する。
【００７７】
図５に示される各吸収体物品においては、部分吸収体として、薄くて、自己支持性のあるシート状吸収体が用いられているが、本発明は、これに限定されず、パルプ単独の吸収体であってもよく、パルプとＳＡＰとの混合物からなる吸収体であってもよい。また、シート状吸収体をそのまま使用してもよいが、表面をコアラップシート等により被覆してもよいし、また、裏面を防漏性シートで被覆してもよい。
また、図５に示される各吸収体物品においては、部分吸収体の平面形状が長方形状であるが、部分吸収体の形状は、これに限定されず、適宜選択することができる。例えば、台形であってもよく、半円形であってもよい。
さらに、図５に示される各吸収体物品においては、全体吸収体の平面形状が、長方形状でなくてもよく、例えば、砂時計型であってもよい。また、防漏体の左右側縁に伸縮性部材を配置して、レッグギャザーを構成してもよい。
【００７８】
図３〜図５の各吸収体物品においては、吸収体とキャナルシートとの結合部は、底面結合部と左右それぞれ１か所の側面結合部の合計３か所から構成されているが、本発明は、これに限定されない。底面結合部は、例えば、２か所であってもよく、側面結合部は、例えば、左右それぞれ上縁及び下縁の２か所の合計４か所であってもよい。
また、底面結合部及び側面結合部は、それぞれ、左右方向において、幅広であってもよく、幅が狭くてもよい。側面結合部及び底面結合部は、左右方向において、両方とも幅広であってもよいし、左右方向に連結して、連続的に形成されていてもよい。
底面結合部及び側面結合部は、股下部を含む領域で、前後方向において、延在していてもよいし、点状に形成されていてもよい。延在の態様は、連続的に延在していてもよいし、鎖線状に延在していてもよい。中でも、底面結合部及び側面結合部が、いずれも股下部を含む領域で前後方向に連続的に延在しているのが本発明の好ましい態様の一つである。
【００７９】
以下、本発明の吸収体物品の実施態様を示し、更にその効果を説明する。
【００８０】
図６は、本発明の吸収体物品の実施態様の別の例を示す模式図である。図６（Ａ）は、吸収体物品に応力を加えて前後方向及び左右方向に引っ張って展開し、ほぼ平面状にした状態（緊張状態）を模式的に示した展開平面図である。図６（Ｂ）は、図６（Ａ）中のＶＩＢ−ＶＩＢ線に沿った緊張状態の横端面図である。図６（Ｃ）は、吸収体物品に応力を加えない場合の（弛緩状態の）図６（Ａ）中のＶＩＢ−ＶＩＢ線に沿った横端面図である。
図６に示される吸収体物品１０１は、子供用テープ型おむつ（Ｍサイズ（体重６〜１１ｋｇ程度用））として構成されている。
【００８１】
図６に示される吸収体物品１０１は、基本的に、図２に示される吸収体物品１００と同様であるが、吸収体の構造、配置及びキャナルシートとの結合状態が異なる。
吸収体物品１０１においては、吸収体１２ｊが、全体吸収体１２ｊ’と部分吸収体１２ｊ”とにより構成されている。
【００８２】
全体吸収体１２ｊ’は、パルプとＳＡＰとの均一混合物（例えば、目付量パルプ２００ｇ／ｍ2、ＳＡＰ１００ｇ／ｍ2）からなるマット状を、その上下をテイッシュペーパー（例えば、目付量２０ｇ／ｍ2）で被覆したシート状吸収体である。
全体吸収体１２ｊ’の平面形状は、砂時計型であり、前後方向の長さが３５０ｍｍ、左右方向の幅が、広い部分で１２０ｍｍ、狭い部分で９０ｍｍである。
全体吸収体１２ｊ’は、その下面と防漏体１０の上面とがホットメルト接着剤のスプレー塗布により全面に存在する結合部３４ａで結合している。
【００８３】
部分吸収体１２ｊ”は、嵩高不織布にＳＡＰを担持させたＳＡＰ含有量８０質量％のシート状吸収体（例えば、目付量１５０ｇ／ｍ2）である。
部分吸収体１２ｊ”の平面形状は、正方形状であり、一辺の長さは９０ｍｍである。
部分吸収体１２ｊ”は、股下部Ｃにおいて、全体吸収体１２ｊ’の上に配置され、左右方向の中央部において、部分吸収体１２ｊ”の下面と全体吸収体１２ｊ’の上面とが、前後方向に帯状に９０ｍｍ延在する部分吸収体結合部３８ｃによって結合されている。
部分吸収体結合部３８ｃの位置は、後述するキャナルシート１６ａと部分吸収体１２ｊ”との底面結合部２４ｊの位置と、上下でほぼ同一になっている。
【００８４】
キャナルシート１６の下面は、股下部Ｃにおいては、部分吸収体１２ｊ”の表面と、前身頃Ｆ及び後身頃Ｒにおいては、全体吸収体１２ｊ’の表面と、前後方向に帯状に１８０ｍｍ延在する底面結合部２４ｊによって結合されている。
キャナルシート１６の側面の外側は、股下部Ｃにおいて、部分吸収体１２ｊ”の左右縁部の付近と、側面結合部２６ｊによって結合されている。
【００８５】
吸収体物品１０１は、股下部Ｃにおいては、底面結合部２４ｊを中心にキャナルシート１６ａが左右に立ち上がり、キャナルシート１６ａの外側側面には部分吸収体１２ｊ”の上縁付近が結合され、キャナルシート１６ａの側面が部分吸収体１２ｊ”で補強された状態になっている。
【００８６】
吸収体物品１０１は、吸収体物品１００と同様の効果を奏する上、吸収体１２ｊが、全体吸収体１２ｊ’と部分吸収体１２ｊ”とにより構成されているので、股下部Ｃにおける体液の吸収量が多いという効果も奏する。
【００８７】
以上、本発明の吸収体物品を図示の各実施形態に基づいて説明したが、本発明は、これらに限定されるものではなく、例えば、各部の構成は、同様の機能を発揮しうる任意の構成と置換することができる。
また、各実施形態における各部の構成を任意に組み合わせて、別の実施形態とすることもできる。
【００８８】
本発明の吸収体物品は、テープ型及びパンツ型の紙おむつ（子供用及び大人用）、失禁用品、トレーニングパンツ、女性用生理用品等に好適に用いられる。
【図１】
2015142673.tif 000003
【図２】
2015142673.tif 000004
【図３】
2015142673.tif 000005
【図４】
2015142673.tif 000006
【図５】
2015142673.tif 000007
【図６】
2015142673.tif 000008
【図７】
2015142673.tif 000009